(57)【要約】【課題】電子機器（ＰＣ）の使用中においても、特に気にせず、非接触給電による送電を行うことを可能にし、ユーザの利便性を向上させることが課題になっていた。【解決手段】実施形態の電子機器は、筺体を備える。また、非接触給電に用いられる送電コイルを備え、前記筺体に収納および、引き出しまたは押し出し可能に構成される送電コイル部を備える。  また、前記送電コイル部が、予め設定された状態まで引き出されたか、または押し出されたかを検出する検出部を備える。  また、前記送電コイル部が、前記予め設定された状態まで引き出されたか、または押し出された場合に、前記送電コイルを用いて非接触給電の送電を行う送電部を備える。【選択図】  図１
2014143849.tif 000002
【特許請求の範囲】
【請求項１】
筺体と、
非接触給電に用いられる送電コイルを備え、前記筺体に収納および、引き出しまたは押し出し可能に構成される送電コイル部と、
前記送電コイル部が、予め設定された状態まで引き出されたか、または押し出されたかを検出する検出部と、
前記送電コイル部が、前記予め設定された状態まで引き出されたか、または押し出された場合に、前記送電コイルを用いて非接触給電の送電を行う送電部と、を備える電子機器。
【請求項２】
前記送電コイル部は、前記引き出しまたは押し出しされた状態で、前記送電を行う請求項１に記載の電子機器。
【請求項３】
前記送電コイル部は、スライド可能に構成され、引き出しまたは押し出しが行われる請求項１に記載の電子機器。
【請求項４】
前記送電コイル部は、トレイ状に構成される請求項１に記載の電子機器。
【請求項５】
前記引き出されたか、または押し出されたかの検出は、機構的にまたは、電気的に行われる請求項１に記載の電子機器。
【請求項６】
前記送電コイル部が前記筺体に収納された状態において、その一部または全部が光学ドライブと重なるように構成される請求項１に記載の電子機器。
【請求項７】
非接触給電に用いられる送電コイルを備え、前記送電コイルが筺体に収納および、引き出しまたは押し出し可能に構成される送電コイル部が、予め設定された状態まで引き出されたか、または押し出されたかを検出するステップと、
前記送電コイル部が、前記予め設定された状態まで引き出されたか、または押し出された場合に、前記送電コイルを用いて非接触給電の送電を行うステップと、を備え、電子機器を制御する電子機器の制御方法。
【請求項８】
非接触給電に用いられる送電コイルを備え、前記送電コイルが筺体に収納および、引き出しまたは押し出し可能に構成される送電コイル部が、予め設定された状態まで引き出されたか、または押し出されたかを検出するステップと、
前記送電コイル部が、前記予め設定された状態まで引き出されたか、または押し出された場合に、前記送電コイルを用いて非接触給電の送電を行うステップと、を備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、例えば、ある給電装置から電子機器に、コネクタ等の電気的な接触（接続）を介さず、いわゆる非接触で、給電を行う、非接触給電が知られつつある。
【０００３】
また、近年、例えば、ある電子機器から他の電子機器への非接触給電のように、電子機器間での非接触給電を可能にする技術の開示が望まれている。
【０００４】
そして、例えば、ユーザが電子機器（例えば、ＰＣ：パーソナルコンピュータ等）を使用中にも、この電子機器（ＰＣ）から他の電子機器に対し、非接触給電による送電を行いたい、という要望があった。
【０００５】
しかし、非接触給電による送電を行うと、使用される送電コイルから若干、熱が発生することから、例えば、電子機器（ＰＣ）の使用中は、非接触給電による送電を控えることが望ましく、ユーザにとって不便であった。
【０００６】
このため、電子機器（ＰＣ）の使用中においても、特に気にせず、非接触給電による送電を行うことを可能にし、ユーザの利便性を向上させることが課題になっていた。
【先行技術文献】
【特許文献】
【０００７】
【特許文献１】特開２０１１−１２０３１７号公報
【発明の概要】
【発明が解決しようとする課題】
【０００８】
電子機器（ＰＣ）の使用中においても、特に気にせず、非接触給電による送電を行うことを可能にし、ユーザの利便性を向上させることが課題になっていた。
【課題を解決するための手段】
【０００９】
実施形態の電子機器は、筺体を備える。
【００１０】
また、非接触給電に用いられる送電コイルを備え、前記筺体に収納および、引き出しまたは押し出し可能に構成される送電コイル部を備える。
【００１１】
また、前記送電コイル部が、予め設定された状態まで引き出されたか、または押し出されたかを検出する検出部を備える。
【００１２】
また、前記送電コイル部が、前記予め設定された状態まで引き出されたか、または押し出された場合に、前記送電コイルを用いて非接触給電の送電を行う送電部を備える。
【図面の簡単な説明】
【００１３】
【図１】実施形態に係わる電子機器（ＰＣ）から他の電子機器（情報携帯端末）へ、非接触給電の送電が行われるようすを示す図。
【図２】実施形態に係わる電子機器（ＰＣ）から他の電子機器（情報携帯端末）へ非接触給電の送電が行われるようすを、横方向から示す図。
【図３】実施形態に係わる電子機器（ＰＣ）の動作を説明するフローチャート。
【図４】他の実施形態に係わる電子機器（ＰＣ）を示す図。
【発明を実施するための形態】
【００１４】
以下、図面を参照し、実施の形態を説明する。
【００１５】
図１は、実施形態に係わる電子機器（ＰＣ）から他の電子機器（情報携帯端末）へ、非接触給電の送電が行われるようすを示す図である。
【００１６】
この実施形態においては、電子機器（ＰＣ）１０は、非接触給電の送電コイル１２を内蔵するトレイ（送電コイル部）１２を備えている。
【００１７】
この送電コイル部（トレイ）１２は、例えば、スライド式により、電子機器（ＰＣ）１０の筺体１３内部に収納、および、電子機器（ＰＣ）１０からの引き出し、または、押し出しが可能な構造となっている。
【００１８】
そして、この実施形態は、送電コイルが内蔵された送電コイル部（トレイ）１２を、筺体１３から引き出して、または、押し出して、例えば、その送電コイル部（トレイ）１２の上に、非接触給電の受電コイルを内蔵した他の電子機器（デバイス、例えば、スマートフォン等）２０を載置することで、電子機器（ＰＣ）１０から他の電子機器（デバイス、例えば、スマートフォン等）２０に、非接触給電の送電が行われる。
【００１９】
なお、ここでは、電子機器１０として、ＰＣを例にとり、説明を行うが、この実施形態に係る電子機器は、ＰＣに限られるものではなく、タブレットＰＣやスマートフォン等の携帯型端末、あるいはテレビ等にも適用することが可能である。
【００２０】
ここで、この実施形態に係る「非接触給電」について、説明する。
【００２１】
ここでは、「非接触給電」とは、非接触電力伝送（ Ｃｏｎｔａｃｔｌｅｓｓ ｐｏｗｅｒ ｔｒａｎｓｍｉｓｓｉｏｎ、または Ｗｉｒｅｌｅｓｓ ｅｎｅｒｇｙ ｔｒａｎｓｆｅｒ）のことであり、例えば、コードレス電話、電気シェーバ、電動歯ブラシ等に使用されている。
【００２２】
この「非接触給電」は、金属接点やコネクタ等を介さずに電力を伝送（給電）することである。ワイヤレス給電や非接触電力伝達、無接点電力伝送等とも呼ばれる。２次電池を内蔵した機器に電力を送る場合は、非接触充電（Inductive charging）等とも呼ばれる。
【００２３】
この「非接触給電」は、例えば、電磁気学の相互誘導作用を利用している。
【００２４】
図１に示すように、この実施形態に係わる電子機器（ＰＣ）１０は、例えば、筺体１３を備えている。
【００２５】
また、非接触給電に用いられる送電コイル１２を、例えば、そのトレイ状の形状の送電コイル部１１の内部に備えている。言い換えれば、送電コイル１２は、トレイ状の形状の送電コイル部１１に内蔵されている。
【００２６】
そして、この送電コイル部１１は、電子機器（ＰＣ）１０の筺体に、収納可能に構成されている。
【００２７】
また、この送電コイル部１１は、機構的な制御、あるいは、スイッチ等の電気的な制御、あるいはこれらの組み合わせにより、筺体１３に対して、スライドするように構成されている。
【００２８】
そして、送電コイル部１１は、例えば、手動で、あるいは電動で、あるいはそれらの組み合わせで、電子機器（ＰＣ）１０の筺体１３から、引き出し可能に、または、押し出し可能に構成されている。
【００２９】
また、特に図示しないが、電子機器（ＰＣ）１０は、この送電コイル１２を内蔵し、トレイ状の形状の送電コイル部（収納型トレイ）１１が、例えば、送電コイル部（収納型トレイ）１１が予め設定された状態（送電コイル１２が電子機器（ＰＣ）１０に大きな影響を及ぼさないように、送電コイル１２等が、電子機器（ＰＣ）１０の筺体１３から外へ、十分に、あるいは完全に、出されたと判断される状態）まで引き出されたか、または押し出されたかを、機構的に、あるいは、電気的に、あるいは、これらの組み合わせで、検出する検出部を備えている。
【００３０】
そして、送電コイル部（収納型トレイ）１１が、予め設定された状態まで引き出されたか、または押し出されたと検出された場合に、送電コイル部（収納型トレイ）１１に内蔵された送電コイル１２を用いて、非接触給電の送電を行う送電部を備えている。
【００３１】
すなわち、この実施形態においては、電子機器（ＰＣ）１０に、例えば、電子機器（ＰＣ）１０の外部の電子機器（例えば、スマートフォン等の携帯情報端末）２０へ、非接触で電力を供給（「非接触給電」）するための送電用の電磁誘導給電コイル（送電コイル１２）を内蔵したトレイ（送電コイル部）１１が設けられている。
【００３２】
この電力が供給される他の電子機器（例えば、スマートフォン等の携帯情報端末）２０は、例えば、電子機器（ＰＣ）１０から供給された電力を受ける（受電する）ことが可能な、受電コイルが内蔵されている。
【００３３】
また、ここで、この実施形態においては、送電コイル部（収納型トレイ）１１には、例えば、電子機器（例えば、携帯情報端末）２０を置くこと（載置すること）が可能に構成されている。
【００３４】
また、この送電コイル部（収納型トレイ）１１は、電子機器（ＰＣ）１０の筺体１３に対して、スライドさせることが可能な構造になっており、電子機器（ＰＣ）１０の筺体１３内部に収納することが可能である。
【００３５】
また、この送電コイル部（収納型トレイ）１１は、電子機器（ＰＣ）１０の筺体１３から、引き出しまたは押し出しを行うことが可能である。
【００３６】
また、この実施形態においては、電子機器（ＰＣ）１０から、電子機器（ＰＣ）１０の外部の電子機器２０へ、「非接触給電」で電力が供給されるが、ここで用いられる送電用の電磁誘導給電コイル（送電コイル１２）を内蔵した送電コイル部（収納型トレイ）１１が設けられている。
【００３７】
そして、この実施形態においては、この送電コイル部（収納型トレイ）１１が、電子機器（ＰＣ）１０内部に収納されている状態や、途中まで引き出された状態での送電（送電コイル１２）による発熱や、送電コイル１２から電子機器（ＰＣ）１０内部に及ぼすノイズの影響を低減するように、この送電コイル部（収納型トレイ）１１が十分に（完全に）、引き出された（または押し出された）状態を検出する。
【００３８】
そして、例えば、送電コイル部（収納型トレイ）１１が、筺体１３から、十分に（完全に）、引き出された（または押し出された）状態が検出された場合に、「非接触給電」の送電を行うようにする。
【００３９】
この送電コイル部（収納型トレイ）１１が、筺体１３から、十分に（完全に）、引き出された（または押し出された）状態は、例えば、電子機器（ＰＣ）１０に、予め設定されている。
【００４０】
また、この実施形態においては、送電コイル部（収納型トレイ）１１が、電子機器（ＰＣ）１０の筺体１３から、十分に、あるいは、完全に、引き出された、または、押し出された状態でないと、他の電子機器（例えば、スマートフォン等の携帯情報端末）２０へ給電は開始できないように制御する。
【００４１】
図２は、実施形態に係わる電子機器（ＰＣ）から他の電子機器（情報携帯端末）へ非接触給電の送電が行われるようすを、横方向から示す図である。
【００４２】
この実施形態においては、上記のように、送電コイル部（収納型トレイ）１１が、筺体１３から、十分に（完全に）、引き出された（または押し出された）状態が検出された場合に、「非接触給電」の送電が行われる。
【００４３】
ここでは、例えば、電子機器（ＰＣ）１０の送電コイル部（収納型トレイ）１１が、筺体１３から、十分に（完全に）、引き出され（または押し出され）、電子機器（ＰＣ）１０に、この状態が検出されている。
【００４４】
そして、例えば、送電コイル部（収納型トレイ）１１に、他の電子機器（情報携帯端末）２０が載置され、電子機器（ＰＣ）１０の送電コイル１２から他の電子機器（情報携帯端末）２０の受電コイル２１への非接触給電（送電）が行われる。
【００４５】
また、この実施形態においては、送電コイル部１１が筺体１３に収納された状態において、その送電コイル部１１の一部または全部が光学ドライブ（ＯＤＤ）２２と重なるように構成されている。これにより、例えば、電子機器（ＰＣ）１０の実装効率を向上させることが可能である。
【００４６】
なお、ここでは、電子機器（ＰＣ）１０の送電コイル部（収納型トレイ）１１に他の電子機器（情報携帯端末）２０が載置され、送電コイル部（収納型トレイ）１１と他の電子機器（情報携帯端末）２０は接触しているが、送電コイル１１と受電コイル２１は接触しておらず、電子機器（ＰＣ）１０から他の電子機器（情報携帯端末）２０への給電は、非接触給電である。
【００４７】
図３は、実施形態に係わる電子機器（ＰＣ）の動作を説明するフローチャートである。
【００４８】
ステップＳ１００は、ここでの開始ステップである。続いて、ステップＳ１０１に進む。
【００４９】
ステップＳ１０１は、電子機器（ＰＣ）１０内部に収納されている送電コイル部（トレイ）１１を筺体１３の外部に向けてスライドさせるステップである。このとき、送電コイル部（トレイ）１１は、筺体１３から、引き出しまたは、押し出し操作される。この送電コイル部（トレイ）１１の引き出しまたは、押し出し操作は、例えば、ユーザによる手動、または、電子機器（ＰＣ）１０に制御された電動で行われる。続いて、ステップＳ１０２に進む。
【００５０】
ステップＳ１０２は、送電コイル部１１は、予め設定された状態（送電コイル１２が電子機器（ＰＣ）１０に大きな影響を及ぼさないように、送電コイル１２等が、電子機器（ＰＣ）１０の筺体１３から外へ、十分に、あるいは完全に、出されたと判断される状態）まで引き出されたか、または押し出されたかを、機構的に、あるいは、電気的に、あるいは、これらの組み合わせで、検出するステップである。
【００５１】
送電コイル部１１は、予め設定された状態まで引き出された、または、押し出されたと検出される場合は、ステップＳ１０３に進む（Ｙｅｓ）。送電コイル部１１は、予め設定された状態まで引き出された、または、押し出されたと検出されない場合は、ステップＳ１０１に進み、上記処理を繰り返す（Ｎｏ）。
【００５２】
ステップＳ１０３は、例えば、送電コイル１２の発熱が電子機器（ＰＣ）１０に問題にならない程度に、送電コイル部１１が、電子機器（ＰＣ）１０の筺体１３から外へ、十分に、引き出されたか、または押し出され、外部機器（携帯情報端末２０等）への非接触送電（給電）が可能であるかを検出するステップである。
【００５３】
外部機器（携帯情報端末２０等）への非接触送電（給電）が可能であると検出される場合は、ステップＳ１０４に進む（Ｙｅｓ）。外部機器（携帯情報端末２０等）への非接触送電（給電）が可能ではないと検出される場合は、ステップＳ１０５に進む（Ｎｏ）。
【００５４】
ステップＳ１０４は、電子機器（ＰＣ）１０から外部機器（携帯情報端末２０等）への非接触給電（送電）を実行するステップである。続いて、ステップＳ１０６に進む。
【００５５】
ステップＳ１０５は、電子機器（ＰＣ）１０から外部機器（携帯情報端末２０等）への非接触給電（送電）を中止、あるいは、行わないステップである。続いて、ステップＳ１０６に進む。
【００５６】
ステップＳ１０６は、終了ステップであり、ここでの処理は終了する。
【００５７】
図４は、他の実施形態に係わる電子機器（ＰＣ）を示す図である。
【００５８】
ここでは、送電コイル部（トレイ）が、電子機器（ＰＣ）１０の図１とは異なる位置に設けられている。
【００５９】
すなわち、ここでは、送電コイル部（トレイ）１１ａは、図４に示す電子機器（ＰＣ）１０の左側に設けられている。また、送電コイル部（トレイ）１１ｂは、図４に示す電子機器（ＰＣ）１０の手前側に設けられている。
【００６０】
また、送電コイル部（トレイ）は、必要に応じ、電子機器（ＰＣ）１０に、複数設置するようにしても良い。
【００６１】
また、この実施形態においては、電子機器（ＰＣ）１０から外部機器（携帯情報端末２０等）への非接触給電（送電）に関し、電子機器（ＰＣ）１０が起動中である場合に限定されない。
【００６２】
例えば、電子機器（ＰＣ）１０が「Ｓｌｅｅｐ」状態である場合や、電子機器（ＰＣ）１０の電源がＯＦＦとなっている状態でも、電子機器（ＰＣ）１０から外部機器（携帯情報端末２０等）への非接触給電（送電）ができるように設定することが可能である。
【００６３】
あるいは、例えば、電子機器（ＰＣ）１０が「Ｓｌｅｅｐ」状態である場合や、電子機器（ＰＣ）１０の電源が「ＯＦＦ」となっている状態では、電子機器（ＰＣ）１０から外部機器（携帯情報端末２０等）への非接触給電（送電）ができないように設定することも可能である。
【００６４】
これにより、電子機器（ＰＣ）１０が起動中に限られず、例えば、「Ｓｌｅｅｐ」や電源が「ＯＦＦ」となっている状態においても、電子機器（ＰＣ）１０から外部機器（携帯情報端末２０等）への非接触給電（送電）を行うことが可能になる。
【００６５】
これにより、例えば、電子機器（ＰＣ）１０に、専用の送電装置を別途、用意して設置したりすることなく、電子機器（ＰＣ）１０から外部機器（携帯情報端末２０等）への非接触給電（送電）を行うことが可能になり、ユーザの利便性を向上させることが可能になる。
【００６６】
すなわち、この実施形態に係わる電子機器（ＰＣ）１０は、例えば、筺体１３を備えている。
【００６７】
また、非接触給電に用いられる送電コイル１２は、トレイ状の送電コイル部１１に内蔵されている。
【００６８】
そして、この送電コイル部１１は、電子機器（ＰＣ）１０の筺体に、収納可能に構成されている。
【００６９】
また、この送電コイル部１１は、機構的な制御、あるいは、スイッチ等の電気的な制御、あるいはこれらの組み合わせにより、筺体１３に対して、スライドするように構成されている。
【００７０】
そして、送電コイル部１１は、例えば、手動で、あるいは電動で、あるいはそれらの組み合わせで、電子機器（ＰＣ）１０の筺体１３から、引き出し可能に、または、押し出し可能に構成されている。
【００７１】
また、送電コイル部１１が引き出されたか、または押し出されたかの検出は、機構的にまたは、電気的に行われる。
【００７２】
また、送電コイル部が筺体に収納された状態において、その一部または全部が光学ドライブ（ＯＤＤ）２２と重なるように構成される。
【００７３】
上記のように構成することによって、この実施の形態においては、電子機器（ＰＣ）の使用中においても、非接触給電による送電を行うことを可能にし、ユーザの利便性を向上させることが可能になる。
【００７４】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００７５】
なお、上記実施形態は、記述そのものに限定されるものではなく、実施段階では、その趣旨を逸脱しない範囲で、構成要素を種々変形して具体化することが可能である。
【００７６】
また、上記実施形態に開示されている複数の構成要素の適宜な組み合せにより種々の発明を形成できる。
【００７７】
例えば、実施形態に示される全構成要素から幾つかの構成要素を削除してもよい。更に、異なる実施形態に亘る構成要素を適宜組み合せてもよい。
【符号の説明】
【００７８】
１０…電子機器（ＰＣ）、１１…送電コイル部、１２…非接触給電用送電コイル、１３…筺体、２０…外部電子機器（情報携帯端末）。
【図１】
2014143849.tif 000003
【図２】
2014143849.tif 000004
【図３】
2014143849.tif 000005
【図４】
2014143849.tif 000006